【手続補正書】
【提出日】平成17年5月23日(2005.5.23)
【手続補正１】
【補正対象書類名】明細書
【補正対象項目名】発明の名称
【補正方法】変更
【補正の内容】
【発明の名称】対話記録装置および対話記録装置の制御方法並びに記録媒体
【手続補正２】
【補正対象書類名】明細書
【補正対象項目名】特許請求の範囲
【補正方法】変更
【補正の内容】
【特許請求の範囲】
【請求項１】
第１の対話参加者の音声を入力する音声入力手段と、
該音声入力手段により所定時間以上の無声入力の後に有声の音声が入力されたとき、該入力された有声と該無声の音声の各々の時間を各々の音声時間として生成する音声時間生成手段と、
該生成した音声時間と該音声時間に対応する音声とを関連させて発言情報として記憶する第１発言情報記憶手段と、
前記第１の対話参加者と異なる少なくとも一人の対話参加者の音声に基づいて生成された発言情報を入力する発言情報入力手段と、
該入力した発言情報を記憶する第２発言情報記憶手段と、
前記第１発言情報記録手段に記憶された発言情報と前記第２発言情報記憶手段により記憶された発言情報とに基づいて対話参加者間でなされた対話情報を生成する対話情報生成手段と、
該生成された対話情報に基づいて各対話参加者の発言情報にインデクス情報を付加するインデクス情報付加手段と、
該インデクス情報が付加された対話情報を記憶する対話情報記憶手段と、
該記憶された対話情報をインデクス情報に基づいて出力する対話情報出力手段と
を備える対話記録装置。
【請求項２】
前記第１発言情報記憶手段により記憶された発言情報を前記発言情報入力手段により入力可能なデータとして出力可能な発言情報出力手段を備える請求項１記載の対話記録装置。
【請求項３】
前記対話情報生成手段は、前記第１発言情報記録手段に記憶された発言情報に含まれる有声の音声時間および無声の音声時間と前記第２発言情報記憶手段により記憶された発言情報に含まれる無声の音声時間および有声の音声時間との関係に基づいて前記対話情報を生成する手段である請求項１または２記載の対話記録装置。
【請求項４】
請求項１ないし３いずれか記載の対話記録装置であって、
操作者の操作に基づいて判定時間を設定する判定時間設定手段を備え、
前記対話情報生成手段は、前記第１発言情報記憶手段に記憶された発言情報のうち有声の音声時間が前記設定された判定時間より短い発言情報については無声の発言情報とみなして対話情報を生成する手段である
対話記録装置。
【請求項５】
前記判定時間設定手段は、前記第１の対話参加者により前記音声入力手段を用いて入力された相づち表現，感動表現，割り込み表現などに基づいて設定する手段である請求項４記載の対話記録装置。
【請求項６】
請求項４または５記載の対話記録装置であって、
前記発言情報入力手段は、第２の判定時間を前記発言情報と共に入力する手段であり、
前記第２発言情報記憶手段は、前記発言情報入力手段により発言情報と共に入力された第２の判定時間をも記憶する手段であり、
前記対話情報生成手段は、前記第２発言情報記憶手段に記憶された発言情報のうち有声の音声時間が前記第２の判定時間より短い発言情報については無声の発言情報とみなして対話情報を生成する手段である
対話記録装置。
【請求項７】
請求項４または５記載の対話記録装置であって、
操作者の操作に基づいて第２の判定時間を設定する第２判定時間設定手段を備え、
前記対話情報生成手段は、前記第２発言情報記憶手段に記憶された発言情報のうち有声の音声時間が前記第２の判定時間より短い発言情報については無声の発言情報とみなして対話情報を生成する手段である
対話記録装置。
【請求項８】
前記第２判定時間設定手段は、前記第２発言情報記憶手段に記憶された発言情報のいずれかを選択することにより該選択された発言情報の音声時間を前記第２の判定時間として設定する手段である請求項７記載の対話記録装置。
【請求項９】
前記インデクス情報付加手段は、前記対話情報生成手段による対話情報の生成の際に無声の発言情報とみなされた有声の発言情報にインデクス情報としてインデクスでない旨の情報を付加する手段またはインデクス情報を付加しない手段である請求項４または８記載の対話記録装置。
【請求項１０】
請求項１ないし９いずれか記載の対話記録装置であって、
前記発言情報入力手段は、
前記第１の対話参加者と異なる対話参加者の音声を入力する第２音声入力手段と、
該第２音声入力手段により第２の所定時間以上の無声入力の後に有声の音声が入力されたとき、該入力された有声と該無声の音声の各々の時間を各々の音声時間として生成する第２音声時間生成手段と、
該生成した音声時間と該音声時間に対応する音声とを関連させて発言情報とする発言情報生成手段とを備える
対話記録装置。
【請求項１１】
前記対話情報出力手段は、操作者により操作されたとき、出力する発言情報として次のインデクスの情報を含むインデクス情報が付加された発言情報を設定する出力情報送り手段を備える請求項１ないし１０いずれか記載の対話記録装置。
【請求項１２】
前記対話情報出力手段は、操作者により操作されたとき、出力する発言情報として前のインデクスの情報を含むインデクス情報が付加された発言情報を設定する出力情報戻り手段を備える請求項１ないし１１いずれか記載の対話記録装置。
【請求項１３】
前記対話情報出力手段は、操作者に操作されたとき、出力情報として該操作の際に出力している対話参加者に関する発言情報のみを設定する出力情報設定手段を備える請求項１ないし１２いずれか記載の対話記録装置。
【請求項１４】
コンピュータが読取り可能な記録媒体であって、
第１の対話参加者の音声を入力する音声入力手段と、
該音声入力手段により所定時間以上の無声入力の後に有声の音声が入力されたとき、該入力された有声と該無声の音声の各々の時間を各々の音声時間として生成する音声時間生成手段と、
該生成した音声時間と該音声時間に対応する音声とを関連させて発言情報として記憶する第１発言情報記憶手段と、
前記第１の対話参加者と異なる少なくとも一人の対話参加者の音声に基づいて生成された発言情報を入力する発言情報入力手段と、
該入力した発言情報を記憶する第２発言情報記憶手段と、
前記第１発言情報記録手段に記憶された発言情報と前記第２発言情報記憶手段により記憶された発言情報とに基づいて対話参加者間でなされた対話情報を生成する対話情報生成手段と、
該生成された対話情報に基づいて各対話参加者の発言情報にインデクス情報を付加するインデクス情報付加手段と、
該インデクス情報が付加された対話情報を記憶する対話情報記憶手段と、
該記憶された対話情報をインデクス情報に基づいて出力する対話情報出力手段と、
を備える対話記録装置として機能させるコンピュータ読み取り可能なプログラムを記憶した記録媒体。
【請求項１５】
対話記録装置の制御方法において、
第１の対話参加者の音声を入力する音声入力工程と、
該音声入力工程により所定時間以上の無声入力の後に有声の音声が入力されたとき、該入力された有声と該無声の音声の各々の時間を各々の音声時間として生成する音声時間生成工程と、
該生成した音声時間と該音声時間に対応する音声とを関連させて発言情報として記憶する第１発言情報記憶工程と、
前記第１の対話参加者と異なる少なくとも一人の対話参加者の音声に基づいて生成された発言情報を入力する発言情報入力工程と、
該入力した発言情報を記憶する第２発言情報記憶工程と、
前記第１発言情報記録工程に記憶された発言情報と前記第２発言情報記憶工程により記憶された発言情報とに基づいて対話参加者間でなされた対話情報を生成する対話情報生成工程と、
該生成された対話情報に基づいて各対話参加者の発言情報にインデクス情報を付加するインデクス情報付加工程と、
該インデクス情報が付加された対話情報を記憶する対話情報記憶工程と、
該記憶された対話情報をインデクス情報に基づいて出力する対話情報出力工程と、
を含む対話記録装置の制御方法。
【手続補正３】
【補正対象書類名】明細書
【補正対象項目名】００２４
【補正方法】変更
【補正の内容】
【００２４】
本発明の記憶媒体は、コンピュータが読取り可能な記録媒体であって、第１の対話参加者の音声を入力する音声入力手段と、該音声入力手段により所定時間以上の無声入力の後に有声の音声が入力されたとき、該入力された有声と該無声の音声の各々の時間を各々の音声時間として生成する音声時間生成手段と、該生成した音声時間と該音声時間に対応する音声とを関連させて発言情報として記憶する第１発言情報記憶手段と、前記第１の対話参加者と異なる少なくとも一人の対話参加者の音声に基づいて生成された発言情報を入力する発言情報入力手段と、該入力した発言情報を記憶する第２発言情報記憶手段と、前記第１発言情報記録手段に記憶された発言情報と前記第２発言情報記憶手段により記憶された発言情報とに基づいて対話参加者間でなされた対話情報を生成する対話情報生成手段と、該生成された対話情報に基づいて各対話参加者の発言情報にインデクス情報を付加するインデクス情報付加手段と、該インデクス情報が付加された対話情報を記憶する対話情報記憶手段と、該記憶された対話情報をインデクス情報に基づいて出力する対話情報出力手段と、を備える対話記録装置として機能させるコンピュータ読み取り可能なプログラムを記憶する。
【手続補正４】
【補正対象書類名】明細書
【補正対象項目名】００２５
【補正方法】変更
【補正の内容】
【００２５】
この本発明の記憶媒体は、コンピュータを上述の本発明の対話記録装置として機能させることができる。さらに、対話記録装置の制御方法において、第１の対話参加者の音声を入力する音声入力工程と、該音声入力工程により所定時間以上の無声入力の後に有声の音声が入力されたとき、該入力された有声と該無声の音声の各々の時間を各々の音声時間として生成する音声時間生成工程と、該生成した音声時間と該音声時間に対応する音声とを関連させて発言情報として記憶する第１発言情報記憶工程と、前記第１の対話参加者と異なる少なくとも一人の対話参加者の音声に基づいて生成された発言情報を入力する発言情報入力工程と、該入力した発言情報を記憶する第２発言情報記憶工程と、前記第１発言情報記録工程に記憶された発言情報と前記第２発言情報記憶工程により記憶された発言情報とに基づいて対話参加者間でなされた対話情報を生成する対話情報生成工程と、該生成された対話情報に基づいて各対話参加者の発言情報にインデクス情報を付加するインデクス情報付加工程と、該インデクス情報が付加された対話情報を記憶する対話情報記憶工程と、該記憶された対話情報をインデクス情報に基づいて出力する対話情報出力工程と、を含む対話記録装置の制御方法であることを要旨とする。